【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムであって、
前記無線ネットワーク制御装置は、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記移動体端末側の処理と並行して実行する手段を有することを特徴とする移動体通信システム。
【請求項２】
前記無線ネットワーク制御装置は、前記ＮＢＡＰ：無線リンク設定手順または前記ＡＬＣＡＰ：ＡＡＬ２コネクション設定手順の未完了または失敗時に前記無線リソース制御コネクションの確立をトランスポートチャネルで再確立することを特徴とする請求項１記載の移動体通信システム。
【請求項３】
移動体端末が発呼する際に、移動管理と呼制御とを転送するためにシグナリングコネクションの無線リソース制御コネクションを確立する移動体通信システムを、少なくとも前記移動体端末と基地局とともに構成する無線ネットワーク制御装置であって、
前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記移動体端末側の処理と並行して実行する手段を有することを特徴とする無線ネットワーク制御装置。
【請求項４】
前記ＮＢＡＰ：無線リンク設定手順または前記ＡＬＣＡＰ：ＡＡＬ２コネクション設定手順の未完了または失敗時に前記無線リソース制御コネクションの確立をトランスポートチャネルで再確立することを特徴とする請求項３記載の無線ネットワーク制御装置。
【請求項５】
少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムに用いる呼接続時間短縮方法であって、
前記無線ネットワーク制御装置が、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記移動体端末側の処理と並行して行う処理を実行することを特徴とする呼接続時間短縮方法。
【請求項６】
前記無線ネットワーク制御装置が、前記ＮＢＡＰ：無線リンク設定手順または前記ＡＬＣＡＰ：ＡＡＬ２コネクション設定手順の未完了または失敗時に前記無線リソース制御コネクションの確立をトランスポートチャネルで再確立することを特徴とする請求項５記載の呼接続時間短縮方法。
【手続補正２】
【補正対象書類名】明細書
【補正対象項目名】００１０
【補正方法】変更
【補正の内容】
【００１０】
本発明による移動体通信システムは、少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムであって、
前記無線ネットワーク制御装置は、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記移動体端末側の処理と並行して実行する手段を備えている。
【手続補正３】
【補正対象書類名】明細書
【補正対象項目名】００１１
【補正方法】変更
【補正の内容】
【００１１】
本発明による無線ネットワーク制御装置は、移動体端末が発呼する際に、移動管理と呼制御とを転送するためにシグナリングコネクションの無線リソース制御コネクションを確立する移動体通信システムを、少なくとも前記移動体端末と基地局とともに構成する無線ネットワーク制御装置であって、
前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記移動体端末側の処理と並行して実行する手段を備えている。
【手続補正４】
【補正対象書類名】明細書
【補正対象項目名】００１２
【補正方法】変更
【補正の内容】
【００１２】
本発明による呼接続時間短縮方法は、少なくとも移動体端末と基地局と無線ネットワーク制御装置とから構成され、前記移動体端末が発呼する際に、移動管理と呼制御とを転送するためにシグナリングコネクションの無線リソース制御コネクションを確立する移動体通信システムに用いる呼接続時間短縮方法であって、
前記無線ネットワーク制御装置が、前記基地局に対するＮＢＡＰ（Ｎｏｄｅ  Ｂ  Ａｐｐｌｉｃａｔｉｏｎ  Ｐａｒｔ）：無線リンク設定手順の開始と同時に、前記移動体端末に前記無線リソース制御コネクションの接続設定メッセージを送信し、前記ＮＢＡＰ：無線リンク設定手順及びＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）：ＡＡＬ２［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ  ｔｙｐｅ  ２］コネクション設定手順を前記移動体端末側の処理と並行して行う処理を実行している。